(57)【特許請求の範囲】
【請求項１】
装着者の鼻及び口を覆う本体部と、
前記本体部における前記鼻を覆う部分に設けられ、当該鼻の立体形状に沿って塑性変形することが可能な第１及び第２の形状保持部材と、を備え、
前記第１及び第２の形状保持部材は、前記本体部の左右方向に延在し、
前記第２の形状保持部材は、前記第１の形状保持部材よりも短く、前記本体部において前記第１の形状保持部材よりも下側に位置し、
前記第２の形状保持部材の幅は、前記第１の形状保持部材の幅よりも小さいことを特徴とするマスク。
【請求項２】
請求項１に記載のマスクにおいて、
前記第１の形状保持部材の長さは、前記本体部の前記左右方向の長さの８０％以上であるマスク。
【請求項３】
請求項２に記載のマスクにおいて、
前記第１の形状保持部材の長さは、前記本体部の前記左右方向の長さの９０％以上であるマスク。
【請求項４】
請求項１乃至３の何れかに記載のマスクにおいて、
前記第２の形状保持部材は、前記第１の形状保持部材よりも２ｃｍ以上短いマスク。
【請求項５】
請求項１乃至４の何れかに記載のマスクにおいて、
前記第１の形状保持部材と前記第２の形状保持部材との間隔は、当該第１又は第２の形状保持部材の幅よりも大きいマスク。
【請求項６】
請求項１乃至５の何れかに記載のマスクにおいて、
前記第１の形状保持部材と前記第２の形状保持部材との間隔は、３ｍｍ以上であるマスク。
【請求項７】
請求項１乃至６の何れかに記載のマスクにおいて、
前記本体部における前記鼻を覆う部分に設けられ、当該鼻の立体形状に沿って塑性変形することが可能な第３の形状保持部材を備え、
前記第３の形状保持部材は、前記本体部の左右方向に延在し、
前記第３の形状保持部材は、前記第２の形状保持部材よりも短く、前記本体部において前記第２の形状保持部材よりも下側に位置するマスク。
【請求項８】
請求項７に記載のマスクにおいて、
前記第３の形状保持部材は、前記第２の形状保持部材よりも２ｃｍ以上短いマスク。
【請求項９】
請求項７又は８に記載のマスクにおいて、
前記第３の形状保持部材の幅は、前記第２の形状保持部材の幅よりも小さいマスク。
【請求項１０】
請求項７乃至９の何れかに記載のマスクにおいて、
前記第２の形状保持部材と前記第３の形状保持部材との間隔は、当該第２又は第３の形状保持部材の幅よりも大きいマスク。
【請求項１１】
請求項７乃至１０の何れかに記載のマスクにおいて、
前記第２の形状保持部材と前記第３の形状保持部材との間隔は、３ｍｍ以上であるマスク。
【請求項１２】
請求項１乃至１１の何れかに記載のマスクにおいて、
前記本体部の上端部に連設され、当該本体部の内側に折り返すことが可能な折返し部を備えるマスク。
【請求項１３】
請求項１２に記載のマスクにおいて、
前記折返し部は、前記本体部の内側に折り返された状態で、前記第１及び第２の形状保持部材に重なるように構成されているマスク。
【請求項１４】
請求項１２又は１３に記載のマスクにおいて、
前記折返し部は、前記本体部の内側に折り返された状態で、下端が前記装着者の鼻孔よりも上側に位置するマスク。
【請求項１５】
請求項１４に記載のマスクにおいて、
前記折返し部には、前記本体部の内側に折り返された状態にある当該折返し部の一部を手前に折り曲げるための折目が形成されているマスク。
【請求項１６】
請求項１５に記載のマスクにおいて、
前記折目は弧状をしており、当該折目の両端は、前記折返し部の前記下端に位置するマスク。
【請求項１７】
請求項１２乃至１６の何れかに記載のマスクにおいて、
前記折返し部は、前記本体部の前記左右方向の全体にわたって設けられているマスク。
【発明の詳細な説明】
【技術分野】
【０００１】
本発明は、人の鼻及び口を覆うマスクに関する。
【背景技術】
【０００２】
従来のマスクとしては、例えば特許文献１に記載されたものがある。同文献に記載されたマスクは、装着者の鼻及び口を覆う本体部と、本体部における装着者の鼻を覆う部分に取り付けられたアルミ板とを備えている。アルミ板は、細長い形状をしており、本体部の左右方向に延在している。このアルミ板は、鼻の立体形状に沿って塑性変形することが可能な形状保持部材として機能する。
【先行技術文献】
【特許文献】
【０００３】
【特許文献１】特開２００６−３０５２７９号公報
【発明の概要】
【発明が解決しようとする課題】
【０００４】
ところで、マスクを眼鏡と併用する場合、本体部の上端部から漏れる息によって眼鏡が曇ることがある。この点、特許文献１に記載されたマスクによれば、鼻の立体形状に沿ってアルミ板を塑性変形させることにより、本体部の上端部と顔との間に生じる隙間を小さくすることができるため、当該上端部からの息漏れをある程度は防ぐことができる。
【０００５】
しかしながら、かかる形状保持部材が設けられたマスクであっても、本体部の上端部を顔に完全に密着させることは困難である。特に本体部と鼻の両側との間において大きな隙間が生じやすく、当該隙間を通じて漏れた息が眼鏡を曇らせる主な要因となっていた。それゆえ、従来のマスクでは、眼鏡の曇りを充分に防ぐことができなかった。
【０００６】
本発明は、上記課題に鑑みてなされたものであり、眼鏡の曇りを防止するのに適した構造のマスクを提供することを目的とする。
【課題を解決するための手段】
【０００７】
本発明によるマスクは、装着者の鼻及び口を覆う本体部と、上記本体部における上記鼻を覆う部分に設けられ、当該鼻の立体形状に沿って塑性変形することが可能な第１及び第２の形状保持部材と、を備え、上記第１及び第２の形状保持部材は、上記本体部の左右方向に延在し、上記第２の形状保持部材は、上記第１の形状保持部材よりも短く、上記本体部において上記第１の形状保持部材よりも下側に位置することを特徴とする。
【０００８】
このマスクにおいては、第１の形状保持部材よりも下側に、第２の形状保持部材が設けられている。このため、第２の形状保持部材が設けられた部位においても、本体部と鼻の両側との間に生じる隙間を小さくすることができる。これにより、第１の形状保持部材が設けられた部位において本体部と鼻の両側との間に隙間が生じていても、当該隙間に流れ込む息の量を少なくすることができる。
【０００９】
そして、本体部と鼻の両側との隙間を通過できなかった息は、主に、本体部における形状保持部材が設けられていない領域を流れることになる。当該領域は、形状保持部材が設けられた領域に比して、顔に対する密着度が低いからである。そうであるところ、第２の形状保持部材は第１の形状保持部材よりも短いため、形状保持部材が設けられた領域は、本体部の上端部に近づくにつれて左右両側に広がっていく。これにより、息が本体部の左右両側に拡散しやすくなるため、本体部から息が漏れたとしても、眼鏡の曇りが生じにくくなる。
【発明の効果】
【００１０】
本発明によれば、眼鏡の曇りを防止するのに適した構造のマスクが実現される。
【図面の簡単な説明】
【００１１】
【図１】本発明によるマスクの第１実施形態を示す正面図である。
【図２】本体部１０の内側における息の流れを示す模式図である。
【図３】本発明によるマスクの第２実施形態を示す正面図である。
【図４】図３のマスクにおいて折返し部４０が折り返された状態を示す背面図である。
【図５】図４のマスクにおいて折返し部４０が折目４２に沿って折り曲げられた状態を示す背面図である。
【図６】図５のVI−VI線に沿った端面の構造を説明するための図である。
【発明を実施するための形態】
【００１２】
以下、図面を参照しつつ、本発明の実施形態について詳細に説明する。なお、図面の説明においては、同一要素には同一符号を付し、重複する説明を省略する。
（第１実施形態）
【００１３】
図１は、本発明によるマスクの第１実施形態を示す正面図である。マスク１は、本体部１０、並びに、形状保持部材２２（第１の形状保持部材）、形状保持部材２４（第２の形状保持部材）及び形状保持部材２６（第３の形状保持部材）を備えている。本体部１０は、シート状をしており、装着者の目、鼻及び口のうち、鼻及び口のみを覆う。本体部１０は、通気性を有する材料からなる。かかる材料としては、例えば、不織布、ガーゼ又は紙を用いることができる。
【００１４】
本体部１０における鼻を覆う部分には、形状保持部材２２，２４，２６が設けられている。これらの形状保持部材２２，２４，２６は、鼻の立体形状に沿って塑性変形することが可能である。かかる形状保持部材２２，２４，２６の材料としては、例えば、金属又は樹脂を用いることができる。また、形状保持部材２２，２４，２６は、細長い形状をしており、本体部１０の左右方向（図１の左右方向に等しい。）に延在している。
【００１５】
形状保持部材２２の長さは、本体部１０の左右方向の長さの８０％以上であることが好ましく、９０％以上であることがより好ましい。形状保持部材２４は、形状保持部材２２よりも短い。形状保持部材２４は、形状保持部材２２よりも２ｃｍ以上短いことが好ましい。形状保持部材２４は、本体部１０において形状保持部材２２よりも下側に位置している。換言すれば、形状保持部材２２よりも形状保持部材２４の方が、本体部１０の上端部から遠い位置に設けられている。
【００１６】
形状保持部材２６は、形状保持部材２４よりも短い。形状保持部材２６は、形状保持部材２４よりも２ｃｍ以上短いことが好ましい。形状保持部材２６は、本体部１０において形状保持部材２４よりも下側に位置している。換言すれば、形状保持部材２４よりも形状保持部材２６の方が、本体部１０の上端部から遠い位置に設けられている。このように形状保持部材２６は、形状保持部材２２，２４，２６の中で最も短い。ただし、形状保持部材２６は、鼻の立体形状に沿って塑性変形した状態で、その両端が鼻の両側の顔面に達する程度の長さを有している。
【００１７】
形状保持部材２４の幅ｗ２は、形状保持部材２２の幅ｗ１よりも小さい。また、形状保持部材２２と形状保持部材２４との間隔ｄ１は、形状保持部材２２又は形状保持部材２４の幅よりも大きい。つまり、間隔ｄ１は、形状保持部材２２の幅又は形状保持部材２４の幅のうち何れか小さい方（両者の幅が等しい場合は当該幅）よりも大きい。本実施形態の場合、ｗ１＞ｗ２であるから、間隔ｄ１が幅ｗ２よりも大きいということである。間隔ｄ１は、３ｍｍ以上であることが好ましい。
【００１８】
形状保持部材２６の幅ｗ３は、形状保持部材２４の幅ｗ２よりも小さい。また、形状保持部材２４と形状保持部材２６との間隔ｄ２は、形状保持部材２４又は形状保持部材２６の幅よりも大きい。つまり、間隔ｄ２は、形状保持部材２４の幅又は形状保持部材２６の幅のうち何れか小さい方（両者の幅が等しい場合は当該幅）よりも大きい。本実施形態の場合、ｗ２＞ｗ３であるから、間隔ｄ２が幅ｗ３よりも大きいということである。間隔ｄ２は、３ｍｍ以上であることが好ましい。
【００１９】
さらに、本体部１０には、当該本体部１０を装着者の顔に固定するための固定部３０が取り付けられている。本実施形態において固定部３０は、装着者の耳に掛けられる紐状部材である。かかる固定部３０としては、例えば、ゴム紐を用いることができる。
【００２０】
マスク１の効果を説明する。マスク１においては、形状保持部材２２よりも下側に、形状保持部材２４が設けられている。このため、形状保持部材２４が設けられた部位においても、本体部１０と鼻の両側との間に生じる隙間を小さくすることができる。これにより、形状保持部材２２が設けられた部位において本体部１０と鼻の両側との間に隙間が生じていても、当該隙間に流れ込む息の量を少なくすることができる。
【００２１】
さらに、本実施形態においては、形状保持部材２４よりも下側に、形状保持部材２６が設けられている。このため、形状保持部材２６が設けられた部位においても、本体部１０と鼻の両側との間に生じる隙間を小さくすることができる。これにより、形状保持部材２２が設けられた部位において本体部１０と鼻の両側との間に隙間が生じていても、当該隙間に流れ込む息の量を一層少なくすることができる。
【００２２】
そして、本体部１０と鼻の両側との隙間を通過できなかった息は、主に、本体部１０における形状保持部材が設けられていない領域を流れることになる。当該領域は、形状保持部材が設けられた領域に比して、顔に対する密着度が低いからである。以下では、形状保持部材が設けられた領域を「密着領域」という。そうであるところ、形状保持部材２４は形状保持部材２２よりも短く、形状保持部材２６は形状保持部材２４よりも短いため、密着領域は、本体部１０の上端部に近づくにつれて左右両側に広がっていく。密着領域の外郭を図１に点線Ｌ１で示している。これにより、密着領域の外郭に沿うように、本体部１０の上端部に近づきながら左右両側に広がる息の流れが形成される。このように息が本体部１０の左右両側に拡散しやすくなるため、本体部１０から息が漏れたとしても、眼鏡の曇りが生じにくくなる。
【００２３】
図２は、本体部１０の内側における息の流れを示す模式図である。同図においては、実線の矢印Ａ１〜Ａ３が本体部１０の左右両側に拡散していく息の流れを示し、点線の矢印Ａ４が本体部１０と鼻９０の両側との隙間を通過する息の流れを示している。本実施形態においては、上述のように息が本体部１０の左右両側に拡散するのを促すことにより、本体部１０と鼻９０の両側との隙間を通じて本体部１０の上端部から漏れる息の量を少なくすることができる。したがって、眼鏡の曇りを防止するのに適した構造のマスク１が実現されている。
【００２４】
形状保持部材２２の長さを大きくすることにより、本体部１０の左右両端部の近くまで息を拡散させやすくなる。かかる観点から、形状保持部材２２の長さは、本体部１０の左右方向の長さの８０％以上であることが好ましく、９０％以上であることがより好ましい。
【００２５】
上述のように、息が本体部１０の左右両側に拡散するのを促す上で、密着領域が上端部に近づくにつれて左右両側に広がる形状を有することが重要である。かかる観点から、形状保持部材２４は、形状保持部材２２よりも２ｃｍ以上短いことが好ましい。同様に、形状保持部材２６は、形状保持部材２４よりも２ｃｍ以上短いことが好ましい。
【００２６】
ところで、人の鼻は、上側よりも下側（鼻孔に近い側）の方が、複雑な立体形状をしている。そのため、形状保持部材２４が設けられた部位においては、形状保持部材２２が設けられた部位におけるよりも、本体部１０を顔に密着させにくい。この点、本実施形態においては、形状保持部材２４の幅が形状保持部材２２の幅よりも小さい。このように幅を小さくすることより、形状保持部材２４の変形自由度が高まるため、より複雑な立体形状にも対応できるようになる。これにより、形状保持部材２４が設けられた部位においても、本体部１０を顔に密着させやすくなる。
【００２７】
同様の理由から、形状保持部材２６が設けられた部位においては、形状保持部材２４が設けられた部位におけるよりも、本体部１０を顔に密着させにくい。この点、本実施形態においては、形状保持部材２６の幅が形状保持部材２４の幅よりも小さい。これにより、形状保持部材２６が設けられた部位においても、本体部１０を顔に密着させやすくなる。
【００２８】
形状保持部材２２と形状保持部材２４との間隔ｄ１は、形状保持部材２２又は形状保持部材２４の幅よりも大きい。間隔ｄ１を充分に確保しておくことにより、密着領域内に流れ込んだ息を、密着領域の外側に誘導しやすくなる。すなわち、図２に矢印Ａ１で示すように、形状保持部材２４が設けられた部位において本体部１０と鼻の両側との隙間を通過した息の一部を、形状保持部材２２と形状保持部材２４との間の経路を通じて密着領域の外側に逃がすことができる。このように形状保持部材２２と形状保持部材２４との間隔ｄ１を充分に確保する観点から、間隔ｄ１は３ｍｍ以上であることが好ましい。
【００２９】
形状保持部材２４と形状保持部材２６との間隔ｄ２は、形状保持部材２４又は形状保持部材２６の幅よりも大きい。間隔ｄ２を充分に確保しておくことにより、密着領域内に流れ込んだ息を、密着領域の外側に誘導しやすくなる。すなわち、図２に矢印Ａ２で示すように、形状保持部材２６が設けられた部位において本体部１０と鼻の両側との隙間を通過した息の一部を、形状保持部材２４と形状保持部材２６との間の経路を通じて密着領域の外側に逃がすことができる。このように形状保持部材２４と形状保持部材２６との間隔ｄ２を充分に確保する観点から、間隔ｄ２は３ｍｍ以上であることが好ましい。
（第２実施形態）
【００３０】
図３は、本発明によるマスクの第２実施形態を示す正面図である。マスク２は、本体部１０、形状保持部材２２，２４，２６及び固定部３０に加えて、折返し部４０を備えている。本体部１０、形状保持部材２２，２４，２６及び固定部３０の構成は、第１実施形態で説明したとおりである。折返し部４０は、シート状をしており、本体部１０の上端部に連設されている。図３からわかるように、折返し部４０は、本体部１０の左右方向の全体にわたって設けられている。
【００３１】
図４に示すように、折返し部４０は、本体部１０の内側に折り返すことが可能である。同図は、マスク２の内側の面（装着者の顔に対向する面）を示している。折返し部４０は、本体部１０の内側に折り返された状態で、形状保持部材２２，２４，２６に重なるように構成されている。また、折返し部４０が本体部１０の内側に折り返された状態で、折返し部４０の下端４０ａは、装着者の鼻孔よりも上側に位置する。
【００３２】
折返し部４０には、折目４２が形成されている。折目４２は、本体部１０の内側に折り返された状態にある折返し部４０の一部を手前（装着者の顔側）に折り曲げるためのものである。かかる折目４２は、例えば、折返し部４０を加圧して折り癖をつけることにより形成することができる。本実施形態において折目４２は、弧状をしている。そして、折目４２の両端は、折返し部４０の下端４０ａに位置する。
【００３３】
図５は、マスク２において折返し部４０が折目４２に沿って折り曲げられた状態を示す背面図である。また、図６は、図５のVI−VI線に沿った端面の構造を説明するための図である。これらの図からわかるように、折返し部４０における折り曲げられた部分によって、装着者の鼻９０が覆われる。なお、図５及び図６においては、形状保持部材２２，２４，２６の図示を省略している。
【００３４】
マスク２の効果を説明する。マスク２においては、折返し部４０が設けられている。折返し部４０を本体部１０の内側に折り返すことにより、本体部１０と折返し部４０との間に、上方が閉じた空間が形成される。これにより、本体部１０の上端部から漏れようとする息を捕捉することができる。したがって、マスク２によれば、形状保持部材２２，２４，２６と折返し部４０とが相俟って、本体部１０と鼻の両側との隙間を通じて本体部１０の上端部から漏れる息の量を一層少なくすることができる。
【００３５】
折返し部４０は、本体部１０の内側に折り返された状態で、形状保持部材２２，２４，２６に重なるように構成されている。かかる構成により、各形状保持部材２２，２４，２６が設けられた部位において本体部１０と鼻の両側との隙間を息が通過した場合であっても、当該息を本体部１０と折返し部４０との間の空間で捕捉しやすくなる。
【００３６】
折返し部４０は、本体部１０の内側に折り返された状態で、下端４０ａが装着者の鼻孔よりも上側に位置する。これにより、図６に矢印Ａ５で示すように、鼻孔から出た息を本体部１０と折返し部４０との間の空間に導きやすくなる。
【００３７】
折返し部４０には、折目４２が形成されている。この折目４２に沿って折返し部４０を折り曲げることにより、折り曲げられた部分で鼻を覆うことができる。これにより、折返し部４０と鼻との間から息が漏れるのを抑制し、本体部１０と折返し部４０との間の空間に息を導きやすくなる。
【００３８】
折目４２は弧状をしており、折目４２の両端は、折返し部４０の下端４０ａに位置する。このため、折返し部４０における折り曲げられた部分の形状を、鼻の立体形状に近づけることができる。これにより、折返し部４０と鼻との間から息が漏れるのを一層効果的に抑制することができる。
【００３９】
折返し部４０は、本体部１０の左右方向の全体にわたって設けられている。これにより、本体部１０の上端部の全体において、当該上端部から漏れようとする息を捕捉することができる。本実施形態のその他の効果は、第１実施形態で説明したとおりである。
【００４０】
本発明は、上記実施形態に限定されるものではなく、様々な変形が可能である。上記実施形態においては、形状保持部材２４の幅が形状保持部材２２の幅よりも小さい場合を例示した。しかし、形状保持部材２４の幅は、形状保持部材２２の幅より大きくてもよいし、形状保持部材２２の幅に等しくてもよい。同様に、上記実施形態においては、形状保持部材２６の幅が形状保持部材２４の幅よりも小さい場合を例示した。しかし、形状保持部材２６の幅は、形状保持部材２４の幅より大きくてもよいし、形状保持部材２４の幅に等しくてもよい。
【００４１】
上記実施形態においては、３つの形状保持部材２２，２４，２６が設けられた場合を例示した。しかし、形状保持部材２６を設けることは必須でなく、形状保持部材２２，２４のみが設けられていてもよい。また、形状保持部材は、４つ以上設けられてもよい。
【符号の説明】
【００４２】
１  マスク
２  マスク
１０  本体部
２２  形状保持部材（第１の形状保持部材）
２４  形状保持部材（第２の形状保持部材）
２６  形状保持部材（第３の形状保持部材）
３０  固定部
４０  折返し部
４２  折目
９０  鼻
【図１】
0006310882.tif 000002
【図２】
0006310882.tif 000003
【図３】
0006310882.tif 000004
【図４】
0006310882.tif 000005
【図５】
0006310882.tif 000006
【図６】
0006310882.tif 000007